(57)【要約】  【課題】  光ディスク上の再生できないファイルを再生したときに、再生できなかった理由を表示させる機能を有する光ディスク再生装置を提供する。  【解決手段】  光ディスクのファイルを再生中にエラーが発生すると、そのエラーがエラー検出手段により検出され、そのエラーがエラーの理由によってエラー分別手段により分別される。エラー分別手段によって分別されたエラーが例えばデコード中のものであれば、リードエラー、入力ストリームエラー、指定データタイプエラー、クロマフォーマットエラー、モノクロ画像エラー、ストリームエラー、タイムアウトエラーがあり、これらのエラーの中からエラー理由に一番近いエラーがエラー表示処理手段によりディスプレイ装置に表示される。これにより、次回にファイルを記録した光ディスクを作成するときに、再生できないファイルを記録する可能性を低くすることができる。【選択図】      図２
2006351152.tif 000002
【特許請求の範囲】
【請求項１】
ＭＰ３フォーマットの音楽ファイル、ＷＭＡフォーマットの音楽ファイル、およびＪＰ
ＥＧフォーマットの静止画ファイルのうち、少なくとも一つ以上のファイルを記録した光
ディスクに対しても情報を再生することが可能な光ディスク再生装置において、光ディス
クからデータを読めないことを示すリードエラー、フォーマットが異なることを示すフォ
ーマットエラー、サポートしないサンプリング周波数を示すサンプリング周波数エラー、
サポートしないビットレートを示すビットレートエラー、予期しないエラー、通信エラー
、入力ストリームがデコード仕様外を示す入力ストリームエラー、指定データタイプがス
トリーム中に無いことを示す指定データタイプエラー、サポートしないクロマフォーマッ
トを示すクロマフォーマットエラー、ＪＰＥＧ画像サイズが最大を超えていることを示す
ＪＰＥＧ画像サイズエラー、モノクロ画像であることを示すモノクロ画像エラー、ストリ
ームエラー、およびタイムアウトエラーを、それぞれ検出するエラー検出手段と、このエ
ラー検出手段により検出されたエラーは、ヘッダ解析時、デコード中、その他の処理のう
ち、何れの処理中により発生したかをエラーの理由によってエラーを分別するエラー分別
手段と、再生中にエラーが発生した場合に、前記複数のエラーの中からエラー理由に一番
近いエラーをディスプレイ装置に表示させるエラー表示処理手段とを有するシステムコン
トローラを備えたことを特徴する光ディスク再生装置。
【請求項２】
所定のフォーマットのファイルを記録した光ディスクに対して情報の再生を行うことが
可能な光ディスク再生装置において、光ディスクの情報の再生中にエラーが発生した場合
、エラーの理由を分別し、このエラーの理由に一番近いエラーをディスプレイ装置に表示
させるシステムコントローラを備えたことを特徴とする光ディスク再生装置。
【請求項３】
前記所定のフォーマットのファイルとは、少なくとも、ＭＰ３フォーマットの音楽ファ
イル、ＷＭＡフォーマットの音楽ファイル、ＪＰＥＧフォーマットの静止画ファイルであ
ることを特徴とする請求項２に記載の光ディスク再生装置。
【請求項４】
光ディスクの情報の再生中に発生するエラーは、光ディスクからデータを読めないこと
を示すリードエラー、フォーマットが異なることを示すフォーマットエラー、サポートし
ないサンプリング周波数を示すサンプリング周波数エラー、サポートしないビットレート
を示すビットレートエラー、予期しないエラー、通信エラー、入力ストリームがデコード
仕様外を示す入力ストリームエラー、指定データタイプがストリーム中に無いことを示す
指定データタイプエラー、サポートしないクロマフォーマットを示すクロマフォーマット
エラー、ＪＰＥＧ画像サイズが最大を超えていることを示すＪＰＥＧ画像サイズエラー、
モノクロ画像であることを示すモノクロ画像エラー、ストリームエラー、およびタイムア
ウトエラーであることを特徴する請求項２に記載の光ディスク再生装置。
【請求項５】
前記システムコントローラは、光ディスクからデータを読めないことを示すリードエラ
ー、フォーマットが異なることを示すフォーマットエラー、サポートしないサンプリング
周波数を示すサンプリング周波数エラー、サポートしないビットレートを示すビットレー
トエラー、予期しないエラー、通信エラー、入力ストリームがデコード仕様外を示す入力
ストリームエラー、指定データタイプがストリーム中に無いことを示す指定データタイプ
エラー、サポートしないクロマフォーマットを示すクロマフォーマットエラー、ＪＰＥＧ
画像サイズが最大を超えていることを示すＪＰＥＧ画像サイズエラー、モノクロ画像であ
ることを示すモノクロ画像エラー、ストリームエラー、およびタイムアウトエラーを、そ
れぞれ検出するエラー検出手段と、このエラー検出手段により検出されたエラーは、ヘッ
ダ解析時、デコード中、その他の処理のうち、何れの処理中により発生したかをエラーの
理由によってエラーを分別するエラー分別手段と、再生中にエラーが発生した場合に、前
記複数のエラーの中からエラー理由に一番近いエラーをディスプレイ装置に表示させるエ
ラー表示処理手段とを有することを特徴する請求項２に記載の光ディスク再生装置。
【発明の詳細な説明】
【技術分野】
【０００１】
本発明は、ＭＰ３フォーマットの音楽ファイル、ＷＭＡフォーマットの音楽ファイル、
およびＪＰＥＧフォーマットの静止画ファイルのうち、少なくとも一つ以上のファイルを
記録した光ディスクに対して情報を再生する光ディスク再生装置に関し、特に、再生でき
ないファイルを再生したときのエラー表示処理に関する。
【背景技術】
【０００２】
近年、ＭＰ３フォーマットの音楽ファイル、ＷＭＡフォーマットの音楽ファイル、およ
びＪＰＥＧフォーマットの静止画ファイルのうち、少なくとも一つ以上のファイルを記録
した光ディスクに対しても情報を再生することが可能な光ディスク再生装置が普及してき
ている。このような従来の光ディスク再生装置においては、光ディスクのファイルを再生
している際中に、そのファイルを読み取ることができなくなると、エラー表示などをして
、そのファイルは、再生できないことをユーザに知らせたりしている。
【０００３】
ところで、エラーの種類としては、光ディスクからデータを読めないことを示すリード
エラー、フォーマットが異なることを示すフォーマットエラー、サポートしないサンプリ
ング周波数を示すサンプリング周波数エラー、サポートしないビットレートを示すビット
レートエラー、予期しないエラー、通信エラー、入力ストリームがデコード仕様外を示す
入力ストリームエラー、指定データタイプがストリーム中に無いことを示す指定データタ
イプエラー、サポートしないクロマフォーマットを示すクロマフォーマットエラー、ＪＰ
ＥＧ画像サイズが最大を超えていることを示すＪＰＥＧ画像サイズエラー、モノクロ画像
であることを示すモノクロ画像エラー、ストリームエラー、およびタイムアウトエラーな
どの１３種類がある。
【特許文献１】特開平８−８７５７７号公報
【発明の開示】
【発明が解決しようとする課題】
【０００４】
しかしながら、従来の光ディスク再生装置では、上記のような１３種類のエラーがあっ
ても、光ディスクの再生中にエラーが発生すると、単にエラー表示を行うだけであるので
、ユーザにとっては、どのような理由でエラーが発生したかが理解できないと言う課題が
あった。
【０００５】
なお、特許文献１の従来技術は、音楽や映像などを記録するマルチメディアペーパ（Ｍ
ＭＰ）に関するもので、エラーが発生し、復元手段で元のマルチメディア情報に復元でき
なかった場合、その理由をエラー報知手段で報知するようにしている。エラー表示の例と
して、マルチメディアペーパ（ＭＭＰ）規格登録外コード、規格外コード、再生不可能表
示などがある。しかしながら、この従来技術は、エラー理由を報知するが、記録媒体とし
てのマルチメディアペーパの情報を再生する情報再生装置に関するものであり、ＭＰ３フ
ォーマットの音楽ファイル、ＷＭＡフォーマットの音楽ファイル、およびＪＰＥＧフォー
マットの静止画ファイルのうち、少なくとも一つ以上のファイルを記録した光ディスクを
再生する光ディスク再生装置に関するものではない。
【０００６】
本発明は、上記のような課題を解決するためになされたもので、光ディスク上の再生で
きないファイルを再生したときに、再生できなかった理由を表示させる機能を有する光デ
ィスク再生装置を提供することを目的とする。
【課題を解決するための手段】
【０００７】
上記目的を達成するために、請求項１の発明は、ＭＰ３フォーマットの音楽ファイル、
ＷＭＡフォーマットの音楽ファイル、およびＪＰＥＧフォーマットの静止画ファイルのう
ち、少なくとも一つ以上のファイルを記録した光ディスクに対しても情報を再生すること
が可能な光ディスク再生装置において、光ディスクからデータを読めないことを示すリー
ドエラー、フォーマットが異なることを示すフォーマットエラー、サポートしないサンプ
リング周波数を示すサンプリング周波数エラー、サポートしないビットレートを示すビッ
トレートエラー、予期しないエラー、通信エラー、入力ストリームがデコード仕様外を示
す入力ストリームエラー、指定データタイプがストリーム中に無いことを示す指定データ
タイプエラー、サポートしないクロマフォーマットを示すクロマフォーマットエラー、Ｊ
ＰＥＧ画像サイズが最大を超えていることを示すＪＰＥＧ画像サイズエラー、モノクロ画
像であることを示すモノクロ画像エラー、ストリームエラー、およびタイムアウトエラー
を、それぞれ検出するエラー検出手段と、このエラー検出手段により検出されたエラーは
、ヘッダ解析時、デコード中、その他の処理のうち、何れの処理中により発生したかをエ
ラーの理由によってエラーを分別するエラー分別手段と、再生中にエラーが発生した場合
に、前記複数のエラーの中からエラー理由に一番近いエラーをディスプレイ装置に表示さ
せるエラー表示処理手段とを有するシステムコントローラを備えたことを特徴する光ディ
スク再生装置を提供する。
【０００８】
この構成において、光ディスクのファイルを再生中にエラーが発生すると、そのエラー
がエラー検出手段により検出され、そのエラーがエラーの理由によってエラー分別手段に
より分別される。エラー分別手段によって分別されたエラーが例えばデコード中のもので
あれば、リードエラー、入力ストリームエラー、指定データタイプエラー、クロマフォー
マットエラー、モノクロ画像エラー、ストリームエラー、タイムアウトエラーがあり、こ
れらのエラーの中からエラー理由に一番近いエラーがエラー表示処理手段によりディスプ
レイ装置に表示される。
【０００９】
この構成によれば、光ディスク上の再生できないファイルを再生したときに、再生でき
なかった理由を表示させるので、次回に、ＭＰ３フォーマットの音楽ファイル、ＷＭＡフ
ォーマットの音楽ファイル、およびＪＰＥＧフォーマットの静止画ファイルのうち、少な
くとも一つ以上のファイルを記録した光ディスクをパーソナルコンピュータなどを用いて
作成するときに、再生できないファイルを記録する可能性を低くすることができ、ユーザ
によっては光ディスクを無駄にすることが少なくできる。
【００１０】
請求項２の発明は、所定のフォーマットのファイルを記録した光ディスクに対して情報
の再生を行うことが可能な光ディスク再生装置において、光ディスクの情報の再生中にエ
ラーが発生した場合、エラーの理由を分別し、このエラーの理由に一番近いエラーをディ
スプレイ装置に表示させるシステムコントローラを備えたことを特徴とする光ディスク再
生装置を提供する。
【００１１】
この構成において、光ディスクの情報の再生中にエラーが発生した場合、エラーの理由
が分別され、このエラーの理由に一番近いエラーがディスプレイ装置に表示される。
【００１２】
この構成によれば、光ディスク上の再生できないファイルを再生したときに、再生でき
なかった理由を表示させるので、次回に、所定フォーマットのファイルを記録した光ディ
スクをパーソナルコンピュータなどを用いて作成するときに、再生できないファイルを記
録する可能性を低くすることができ、ユーザによっては光ディスクを無駄にすることが少
なくできる。
【００１３】
請求項３の発明では、請求項２の発明において、前記所定のフォーマットのファイルと
は、少なくとも、ＭＰ３フォーマットの音楽ファイル、ＷＭＡフォーマットの音楽ファイ
ル、ＪＰＥＧフォーマットの静止画ファイルであるので、ＭＰ３フォーマットの音楽ファ
イル、ＷＭＡフォーマットの音楽ファイル、ＪＰＥＧフォーマットの静止画ファイルを、
再生することが可能になる。
【００１４】
請求項４の発明では、請求項２の発明において、光ディスクの情報の再生中に発生する
エラーは、光ディスクからデータを読めないことを示すリードエラー、フォーマットが異
なることを示すフォーマットエラー、サポートしないサンプリング周波数を示すサンプリ
ング周波数エラー、サポートしないビットレートを示すビットレートエラー、予期しない
エラー、通信エラー、入力ストリームがデコード仕様外を示す入力ストリームエラー、指
定データタイプがストリーム中に無いことを示す指定データタイプエラー、サポートしな
いクロマフォーマットを示すクロマフォーマットエラー、ＪＰＥＧ画像サイズが最大を超
えていることを示すＪＰＥＧ画像サイズエラー、モノクロ画像であることを示すモノクロ
画像エラー、ストリームエラー、およびタイムアウトエラーであるので、これらのエラー
に対して解析を行うことが可能になる。
【００１５】
請求項５の発明では、請求項２の発明において、前記システムコントローラは、光ディ
スクからデータを読めないことを示すリードエラー、フォーマットが異なることを示すフ
ォーマットエラー、サポートしないサンプリング周波数を示すサンプリング周波数エラー
、サポートしないビットレートを示すビットレートエラー、予期しないエラー、通信エラ
ー、入力ストリームがデコード仕様外を示す入力ストリームエラー、指定データタイプが
ストリーム中に無いことを示す指定データタイプエラー、サポートしないクロマフォーマ
ットを示すクロマフォーマットエラー、ＪＰＥＧ画像サイズが最大を超えていることを示
すＪＰＥＧ画像サイズエラー、モノクロ画像であることを示すモノクロ画像エラー、スト
リームエラー、およびタイムアウトエラーを、それぞれ検出するエラー検出手段と、この
エラー検出手段により検出されたエラーは、ヘッダ解析時、デコード中、その他の処理の
うち、何れの処理中により発生したかをエラーの理由によってエラーを分別するエラー分
別手段と、再生中にエラーが発生した場合に、前記複数のエラーの中からエラー理由に一
番近いエラーをディスプレイ装置に表示させるエラー表示処理手段とを有する。
【００１６】
したがって、リードエラー、フォーマットエラー、サンプリング周波数エラー、ビット
レートエラー、予期しないエラー、通信エラー、入力ストリームエラー、指定データタイ
プエラー、クロマフォーマットエラー、ＪＰＥＧ画像サイズエラー、モノクロ画像エラー
、ストリームエラー、およびタイムアウトエラーを、それぞれ検出することが可能になり
、また、ヘッダ解析時、デコード中、その他の処理のうち、何れの処理中により発生した
かをエラーの理由によってエラーを分別することが可能になり、更に、再生中にエラーが
発生した場合に、前記複数のエラーの中からエラー理由に一番近いエラーをディスプレイ
装置に表示させることが可能になる。
【発明の効果】
【００１７】
以上のように本発明によれば、ＭＰ３フォーマットの音楽ファイル、ＷＭＡフォーマッ
トの音楽ファイル、およびＪＰＥＧフォーマットの静止画ファイルのうち、少なくとも一
つ以上のファイルを記録した光ディスクに対しても情報を再生することが可能な光ディス
ク再生装置において、光ディスクからデータを読めないことを示すリードエラー、フォー
マットが異なることを示すフォーマットエラー、サポートしないサンプリング周波数を示
すサンプリング周波数エラー、サポートしないビットレートを示すビットレートエラー、
予期しないエラー、通信エラー、入力ストリームがデコード仕様外を示す入力ストリーム
エラー、指定データタイプがストリーム中に無いことを示す指定データタイプエラー、サ
ポートしないクロマフォーマットを示すクロマフォーマットエラー、ＪＰＥＧ画像サイズ
が最大を超えていることを示すＪＰＥＧ画像サイズエラー、モノクロ画像であることを示
すモノクロ画像エラー、ストリームエラー、およびタイムアウトエラーを、それぞれ検出
するエラー検出手段と、このエラー検出手段により検出されたエラーは、ヘッダ解析時、
デコード中、その他の処理のうち、何れの処理中により発生したかをエラーの理由によっ
てエラーを分別するエラー分別手段と、再生中にエラーが発生した場合に、前記複数のエ
ラーの中からエラー理由に一番近いエラーをディスプレイ装置に表示させるエラー表示処
理手段とを有するシステムコントローラを備えたので、光ディスク上の再生できないファ
イルを再生したときに、再生できなかった理由を表示させることができ、これにより、次
回に、ＭＰ３フォーマットの音楽ファイル、ＷＭＡフォーマットの音楽ファイル、および
ＪＰＥＧフォーマットの静止画ファイルのうち、少なくとも一つ以上のファイルを記録し
た光ディスクをパーソナルコンピュータなどを用いて作成するときに、再生できないファ
イルを記録する可能性を低くすることができ、ユーザによっては光ディスクを無駄にする
ことが少なくできる。
【００１８】
また、本発明によれば、所定のフォーマットのファイルを記録した光ディスクに対して
情報の再生を行うことが可能な光ディスク再生装置において、光ディスクの情報の再生中
にエラーが発生した場合、エラーの理由を分別し、このエラーの理由に一番近いエラーを
ディスプレイ装置に表示させるシステムコントローラを備えたので、光ディスク上の再生
できないファイルを再生したときに、再生できなかった理由を表示させることができ、こ
れにより、次回に、所定のフォーマットのファイルを記録した光ディスクをパーソナルコ
ンピュータなどを用いて作成するときに、再生できないファイルを記録する可能性を低く
することができ、ユーザによっては光ディスクを無駄にすることが少なくできる。
【発明を実施するための最良の形態】
【００１９】
以下、添付図面を参照しつつ、本発明の実施の形態について説明する。図１は本発明の
一実施形態に係る光ディスク再生装置の構成を示すブロック図である。
【００２０】
この光ディスク再生装置は、光ディスク１を回転させるスピンドルモータ５と、光ディ
スク１に記録された情報を再生するためのレーザ光を出射すると共に光ディスク１からの
反射光を受光する光ピックアップ２と、この光ピックアップ２を光ディスク１の半径方向
に移動させるためのスレッド３と、装置全体を制御するシステムコントローラ２２と、こ
のシステムコントローラ２２の指示に応じてスピンドルモータ５およびスレッド３を駆動
すると共に光ピックアップ２に内蔵された対物レンズ（図示せず）を動かすことによりレ
ーザ光の焦点位置を光ディスク１の記録面に対して垂直方向および水平方向に移動させる
制御を行うサーボ制御部４とを備えている。
【００２１】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータ（ＭＰＥ
Ｇによる動画データやＪＰＥＧによる静止画データ）とを分離するストリーム分離部９と
を備えている。
【００２２】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２３】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２４】
また、この光ディスク再生装置は、システムコントローラ２２に対して、再生指示を与
えるための再生キー（図示せず）、再生停止を指示するための停止キー（図示せず）、早
送りキー（図示せず）、早戻しキー（図示せず）、その他各種操作キー（図示せず）を有
するリモコン２６を備えると共に、リモコン２６の操作キーよりは少ない個数の操作キー
を有し、またリモコン２６からの操作指令を示す光信号を受信する受光手段（図示せず）
により光信号を電気信号に変換してシステムコントローラ２２に指令信号を入力する操作
部２１を備えている。
【００２５】
また、この光ディスク再生装置は、装置の各構成要素を制御したり、装置全体を制御し
たりするためのプログラムやデータなどを記憶するフラッシュＲＯＭ２３と、このフラッ
シュＲＯＭ２３のプログラムやデータに従って演算処理を行いシステムコントローラ２２
を制御するＣＰＵ２４と、このＣＰＵ２４の演算処理に必要なデータを一時的に格納する
ＲＡＭ２７と、操作部２１またはリモコン２６からの操作内容などを表示したりする本体
側の表示部２５とを備えている。
【００２６】
システムコントローラ２２は、本実施形態の特徴として、光ディスク１からデータを読
めないことを示すリードエラー、フォーマットが異なることを示すフォーマットエラー、
サポートしないサンプリング周波数を示すサンプリング周波数エラー、サポートしないビ
ットレートを示すビットレートエラー、予期しないエラー、通信エラー、入力ストリーム
がデコード仕様外を示す入力ストリームエラー、指定データタイプがストリーム中に無い
ことを示す指定データタイプエラー、サポートしないクロマフォーマットを示すクロマフ
ォーマットエラー、ＪＰＥＧ画像サイズが最大を超えていることを示すＪＰＥＧ画像サイ
ズエラー、モノクロ画像であることを示すモノクロ画像エラー、ストリームエラー、およ
びタイムアウトエラーを、それぞれ検出するエラー検出手段２２１と、このエラー検出手
段２２１により検出されたエラーは、ヘッダ解析時、デコード中、その他の処理のうち、
何れの処理中により発生したかをエラーの理由によってエラーを分別するエラー分別手段
２２２と、再生中にエラーが発生した場合に、前記複数のエラーの中からエラー理由に一
番近いエラーをディスプレイ装置２０に表示させるエラー表示処理手段２２３とを有する
。
【００２７】
図２は本実施形態においてエラー解析処理を説明するためのフローチャートである。こ
のフローチャートおよび図１を参照してエラー解析処理について説明する。
【００２８】
先ず、ＭＰ３フォーマットの音楽ファイル、ＷＭＡフォーマットの音楽ファイル、およ
びＪＰＥＧフォーマットの静止画ファイルが記録された光ディスク１が光ディスク再生装
置に挿入されると、システムコントローラ２２は、光ディスク１の挿入を検出し（ステッ
プＳ１）、光ディスク１を立ち上げる。この後、例えばリモコン２６を再生キーを押下す
ると、これに応答してシステムコントローラ２２は、サーボ制御部４を介して、スピンド
ルモータ５を回転させることにより光ディスク１を回転させると共に、光ピックアップ２
を駆動させ、光ディスク１に対する再生を開始させる（ステップＳ３）。
【００２９】
そして、再生している時に（ステップＳ３）、エラーが発生し、このエラーがシステム
コントローラ２２のエラー検出手段２２１により検出されると（ステップＳ４）、システ
ムコントローラ２２は、エラー解析処理を開始し（ステップＳ５）、エラー発生箇所を判
断する（ステップＳ６）。即ち、光ディスク１のファイルを再生中にエラーが発生すると
、そのエラーがエラー検出手段２２１により検出され、そのエラーがエラーの理由によっ
てエラー分別手段２２２により分別される。
【００３０】
エラー分別手段２２２により分別されたエラーが、例えば、当該ファイルのヘッダの解
析を行っている時のエラーであった場合は、このエラーは、光ディスク１からデータを読
めないことを示すリードエラー、フォーマットが異なることを示すフォーマットエラー、
サポートしないサンプリング周波数を示すサンプリング周波数エラー、サポートしないビ
ットレートを示すビットレートエラー、およびＪＰＥＧ画像サイズが最大を超えているこ
とを示すＪＰＥＧ画像サイズエラーのうちの少なくとも一つ以上のエラーになる（ステッ
プＳ７）。
【００３１】
システムコントローラ２２のエラー表示処理手段２２３は、それらのエラーの中からエ
ラー理由に一番近いエラーをディスプレイ装置２０に表示させる（ステップＳ１０）。例
えば、ファイルのヘッダの解析時に、データの読み込みができない場合には「リードエラ
ー」と言うメッセージがディスプレイ装置２０に表示され、また、例えば、ＭＰ３のフォ
ーマットで記録されているはずの音楽ファイルが、他のフォーマットで記録されている音
楽ファイルであった場合には「フォーマットエラー」と言うメッセージがディスプレイ装
置２０に表示される。
【００３２】
また、ＭＰ３フォーマットで音楽ファイルを再生する場合や、ＷＭＡフォーマットで音
楽ファイルを再生する場合に、オーディオデコーダ１１側で、その音楽ファイルのサンプ
リング周波数が幾らであるか、その音楽ファイルのビットレートが幾らであるかの情報が
入ってくるので、システムコントローラ２２は、再生できるかどうかを判断して、サポー
トしないサンプリング周波数により再生できなかった場合には、「サンプリング周波数エ
ラー」というメッセージをディスプレイ装置２０に表示させ、サポートしないビットレー
トにより再生できなかった場合には、「ビットレートエラー」というメッセージをディス
プレイ装置２０に表示させる。また、ビデオデコーダ１５が対応できる画像サイズ、即ち
、静止画（ＪＰＥＧ画像）を再生できる画像サイズが最大値を越えている場合には「ＪＰ
ＥＧ画像サイズエラー」というメッセージをディスプレイ装置２０に表示させる。
【００３３】
次に、エラー分別手段２２２により分別されたエラーが、例えば、オーディオデコーダ
１１、サブピクチャデコーダ１３、ビデオデコーダ１５などによるデコード中に行ってい
る時のエラーであった場合は、このエラーは、光ディスク１からデータを読めないことを
示すリードエラー、入力ストリームがデコード仕様外を示す入力ストリームエラー、指定
データタイプがストリーム中に無いことを示す指定データタイプエラー、サポートしない
クロマフォーマットを示すクロマフォーマットエラー、モノクロ画像であることを示すモ
ノクロ画像エラー、ストリームエラー、およびタイムアウトエラーのうちの少なくとも一
つ以上のエラーになる（ステップＳ８）。
【００３４】
システムコントローラ２２のエラー表示処理手段２２３は、それらのエラーの中からエ
ラー理由に一番近いエラーをディスプレイ装置２０に表示させる（ステップＳ１０）。例
えば、デコード中に、データの読み込みができない場合には「リードエラー」というメッ
セージをディスプレイ装置２０に表示させ、また、例えば、オーディオデコーダ１１、サ
ブピクチャデコーダ１３、ビデオデコーダ１５への入力ストリームがデコード仕様外であ
った場合には「入力ストリームエラー」というメッセージをディスプレイ装置２０に表示
させる。
【００３５】
また、例えば、ＪＰＥＧとして決まったフォーマットではあるが、途中でデータが無く
なっているとか、記録されていないとか言うように、指定データタイプがストリーム中に
無い場合には「指定データタイプエラー」というメッセージをディスプレイ装置２０に表
示させる。ＪＰＥＧでビデオデコーダ１５が対応していないフォーマットであった場合に
は「クロマフォーマットエラー」というメッセージをディスプレイ装置２０に表示させる
。
【００３６】
また、ビデオデコーダ１５側で対応できない画像に対してのエラーがあった場合には「
モノクロ画像エラー」というメッセージをディスプレイ装置２０に表示させる。ストリー
ム（ＭＰＥＧなど）関係のエラーがあった場合には「ストリームエラー」というメッセー
ジをディスプレイ装置２０に表示させる。再生が開始してから、ある程度時間を経っても
再生できない場合に「タイムアウトエラー」というメッセージをディスプレイ装置２０に
表示させる。
【００３７】
次に、エラー分別手段２２２により分別されたエラーが、その他のエラーであった場合
は、予期しないエラー、通信エラー、タイムアウトエラーのうちの少なくとも一つ以上の
エラーになる（ステップＳ９）。システムコントローラ２２のエラー表示処理手段２２３
は、それらのエラーの中からエラー理由に一番近いエラーをディスプレイ装置２０に表示
させる（ステップＳ１０）。
【００３８】
例えば、ハードウェア側の何らかの理由で生じた予期しないエラーがあった場合には「
予期しないエラー」というメッセージをディスプレイ装置２０に表示させる。また、ハー
ドウェア側の通信に関して何らかの理由で生じた通信エラーがあった場合には「通信エラ
ー」というメッセージをディスプレイ装置２０に表示させる。また、再生が開始してから
、ある程度時間を経っても再生できない場合には「タイムアウトエラー」というメッセー
ジをディスプレイ装置２０に表示させる。
【００３９】
このような処理によりエラーが分別され（ステップＳ７、ステップＳ８、ステップＳ９
）、エラー表示が行われ（ステップＳ１０）、エラー解析処理が終了する（ステップＳ１
１）。
【００４０】
以上説明したように本実施形態によれば、光ディスク上の再生できないファイルを再生
したときに、再生できなかった理由を表示させるので、次回に、ＭＰ３フォーマットの音
楽ファイル、ＷＭＡフォーマットの音楽ファイル、およびＪＰＥＧフォーマットの静止画
ファイルのうち、少なくとも一つ以上のファイルを記録した光ディスクをパーソナルコン
ピュータなどを用いて作成するときに、再生できないファイルを記録する可能性を低くす
ることができ、ユーザによっては光ディスクを無駄にすることが少なくできる。
【００４１】
なお、本実施形態では、ＭＰ３フォーマットの音楽ファイル、ＷＭＡフォーマットの音
楽ファイル、およびＪＰＥＧフォーマットの静止画ファイルのうちの少なくとも一つ以上
のファイルを記録した光ディスクに対する再生中のエラー表示について説明したが、それ
らのフォーマット以外のフォーマットのファイルも含んで記録した光ディスクに対する再
生中のエラー表示についても、同様な処理で実現することができる。
【図面の簡単な説明】
【００４２】
【図１】本発明の一実施形態に係る光ディスク再生装置の構成を示すブロック図である。
【図２】前記実施形態においてエラー解析処理を説明するためのフローチャートである。
【符号の説明】
【００４３】
１    光ディスク
２０    ディスプレイ装置
２２    システムコントローラ
２２１    エラー検出手段
２２２    エラー分別手段
２２３    エラー表示処理手段
【図１】
2006351152.tif 000003
【図２】
2006351152.tif 000004